(57)【要約】【課題】秘匿情報の漏洩を防止し、通知を安全かつ正確に行うことができるとともに、その負担を軽減することが可能な秘匿情報送付媒体、送付媒体発行システム、送付媒体発行方法及び封筒を提供する。【解決手段】送付されることによってＩＣカード１２の提供及び初期パスワードの通知を行う秘匿情報送付媒体１０であって、レーザ光の照射によってマーキングが可能なマーキング層Ｌ１と、マーキング層Ｌ１の上層に配置され、レーザ光の透過性を有し、かつ、下層を隠蔽する隠蔽層Ｌ２と、外部から隠蔽層Ｌ２を介して照射されたレーザ光によってマーキング層Ｌ１に形成され、秘匿情報を表示する秘匿情報表示部１５とを備え、隠蔽層Ｌ２は、秘匿情報表示部１５を隠蔽することを特徴とする。【選択図】                図３
2005014388.tif 000002
【特許請求の範囲】
【請求項１】
送付されることによって秘匿情報の通知を行う秘匿情報送付媒体であって、
エネルギーを吸収することによってマーキングが可能なマーキング層と、
前記マーキング層の上層に配置され、下層を隠蔽する隠蔽層と、
外部から前記隠蔽層を介して供給されたエネルギーによって前記マーキング層に形成され、前記秘匿情報を表示する秘匿情報表示部とを備え、
前記隠蔽層は、前記秘匿情報表示部を隠蔽すること、
を特徴とする秘匿情報送付媒体。
【請求項２】
請求項１に記載の秘匿情報送付媒体において、
前記マーキング層は、レーザ光の照射によってマーキングが可能であり、
前記隠蔽層は、レーザ光の透過性を有すること、
を特徴とする秘匿情報送付媒体。
【請求項３】
請求項１又は請求項２に記載の秘匿情報送付媒体において、
封筒と、
前記封筒に封入された封入物とを備え、
前記隠蔽層は、前記封筒に形成され、
前記マーキング層は、前記封筒の内面、又は、前記封入物に形成されていること、
を特徴とする秘匿情報送付媒体。
【請求項４】
請求項１又は請求項２に記載の秘匿情報送付媒体において、
封筒と、
前記封筒に封入された封入物とを備え、
前記隠蔽層は、前記封入物に形成され、
前記マーキング層は、前記隠蔽層が形成されている封入物とは別の封入物に形成されていること、
を特徴とする秘匿情報送付媒体。
【請求項５】
請求項３又は請求項４に記載の秘匿情報送付媒体において、
前記秘匿情報は、前記封筒に封入されて送付される個別封入物に対応する情報であって、
前記秘匿情報表示部は、前記個別封入物が前記封筒に封入された後に形成されたこと、
を特徴とする秘匿情報送付媒体。
【請求項６】
請求項５に記載の秘匿情報送付媒体において、
前記封筒に封入されたカードを備え、
前記個別情報は、前記カードに対応する認証情報を含むこと、
を特徴とする秘匿情報送付媒体。
【請求項７】
請求項１から請求項６までのいずれか１項に記載の秘匿情報送付媒体において、
前記マーキング層及び前記隠蔽層は、剥離可能なように接着されていること、
を特徴とする秘匿情報送付媒体。
【請求項８】
請求項１から請求項７までのいずれか１項に記載の秘匿情報送付媒体を発行する送付媒体発行システムであって、
前記秘匿情報送付媒体の隠蔽層を介してマーキング層にエネルギーを供給し、前記マーキング層に前記秘匿情報表示部を形成する秘匿情報書き込み手段を備えること、
を特徴とする送付媒体発行システム。
【請求項９】
請求項８に記載の送付媒体発行システムにおいて、
前記秘匿情報書き込み手段は、前記秘匿情報送付媒体の隠蔽層を介してマーキング層にレーザ光を照射し、前記秘匿情報表示部を前記マーキング層に形成すること、
を特徴とする送付媒体発行システム。
【請求項１０】
請求項９に記載の送付媒体発行システムにおいて、
前記秘匿情報送付媒体から前記秘匿情報及び／又は識別情報を読み出す読み出し手段を備え、
前記秘匿情報書き込み手段は、前記読み出し手段によって読み出された秘匿情報及び／又は識別情報に基づいて、前記秘匿情報表示部を形成すること、
を特徴とする送付媒体発行システム。
【請求項１１】
請求項１０に記載の送付媒体発行システムにおいて、
前記読み出し手段は、前記秘匿情報送付媒体との非接触式の通信によって読み出しを行うこと、
を特徴とする送付媒体発行システム。
【請求項１２】
請求項１から請求項７までのいずれか１項に記載の秘匿情報送付媒体を発行する送付媒体発行方法であって、
前記秘匿情報送付媒体の隠蔽層を介してマーキング層にエネルギーを供給し、前記マーキング層に前記秘匿情報表示部を形成する秘匿情報書き込みステップを備えること、
を特徴とする送付媒体発行方法。
【請求項１３】
請求項１２に記載の送付媒体発行方法において、
前記秘匿情報書き込みステップは、前記秘匿情報送付媒体の隠蔽層を介してマーキング層にレーザ光を照射し、前記秘匿情報表示部を前記マーキング層に形成すること、
を特徴とする送付媒体発行方法。
【請求項１４】
請求項１３に記載の送付媒体発行方法において、
前記秘匿情報送付媒体から前記秘匿情報及び／又は識別情報を読み出す読み出しステップを備え、
前記秘匿情報書き込みステップは、前記読み出しステップにおいて読み出した秘匿情報及び／又は識別情報に基づいて、前記秘匿情報表示部を形成すること、
を特徴とする送付媒体発行方法。
【請求項１５】
請求項１４に記載の送付媒体発行方法において、
前記読み出しステップは、前記秘匿情報送付媒体との非接触式の通信によって読み出しを行うこと、
を特徴とする送付媒体発行方法。
【請求項１６】
レーザ光の透過性を有し、かつ、外部から内側を目視できないように隠蔽する領域をその一部又は全体に備える封筒。
【請求項１７】
請求項１６に記載の封筒において、
前記領域の内面に形成され、外部からのレーザ光の照射によってマーキングが可能なマーキング層を備えること、
を特徴とする封筒。
【発明の詳細な説明】
【０００１】
【発明の属する技術分野】
本発明は、送付されることによって秘匿情報の通知を行う秘匿情報送付媒体、秘匿情報送付媒体を発行する送付媒体発行システム及び送付媒体発行方法、秘匿情報送付媒体に用いられる封筒に関するものである。
【０００２】
【従来の技術】
従来から、擦れによる消失、書き換えなどを防止するため、レーザ光などの熱エネルギーを利用して、カード毎（ユーザ毎）に異なる個別情報の書き込みを行っていた（例えば、特許文献１）。
また、所定の情報を書き込んだカードを特定のユーザに送付するだけでは、カードを使用できず、初期パスワードなどのカードに対応する秘匿情報を特定のユーザのみに通知する必要があった。秘匿情報とは、初期パスワードなどの認証情報、ログイン名、契約内容などの所定の者のみが知るべき情報である。この初期パスワードは、本人認証のために用いられるため、カードに印字することはできず、下記の方法によってユーザへの通知が行われていた。
（１）カードと同封されて送付される台紙に初期パスワードを印刷する。
（２）電子メールやＷｅｂなどの別の媒体（通知手段）を用いる。
【０００３】
【特許文献１】
特開２００１−１７５８３８号公報
【０００４】
【発明が解決しようとする課題】
しかし、（１）の方法では、初期パスワードが記録されている台紙と、個別封入物であるカードとをマッチングするため、マッチング装置に適応したマッチングデータを記録するバーコードや磁気ストライプなどを台紙及びカードの双方で備える必要があった。なお、個別封入物とは、封筒に封入されて送付される封入物であって、特定のユーザのみが受け取るべきものである。
また、初期パスワードを印字し、その紙をカードと共に封入、封緘するため、印字から封入されるまでの間に初期パスワードが目視され、漏洩する可能性があった。
一方、（２）の方法では、ユーザへカードと電子メールを同時期に届ける必要が生じ、その送達管理が煩雑になると共に、ユーザ側では、この通知手段を実現するＰＣなどを備える必要、操作する必要、受信した初期パスワードとカードとの関連性を理解する必要などがあり、ユーザに負担がかかるという問題があった。
【０００５】
本発明の課題は、秘匿情報の漏洩を防止し、通知を安全かつ正確に行うことができるとともに、その負担を軽減することが可能な秘匿情報送付媒体、送付媒体発行システム、送付媒体発行方法及び封筒を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、送付されることによって秘匿情報の通知を行う秘匿情報送付媒体であって、エネルギーを吸収することによってマーキングが可能なマーキング層（Ｌ１）と、前記マーキング層の上層に配置され、下層を隠蔽する隠蔽層（Ｌ２）と、外部から前記隠蔽層を介して供給されたエネルギーによって前記マーキング層に形成され、前記秘匿情報を表示する秘匿情報表示部（１５）とを備え、前記隠蔽層は、前記秘匿情報表示部を隠蔽すること、を特徴とする秘匿情報送付媒体（１０）である。
【０００７】
請求項２の発明は、請求項１に記載の秘匿情報送付媒体において、前記マーキング層は、レーザ光の照射によってマーキングが可能であり、前記隠蔽層は、レーザ光の透過性を有すること、を特徴とする秘匿情報送付媒体（１０）である。
【０００８】
請求項３の発明は、請求項１又は請求項２に記載の秘匿情報送付媒体において、封筒（１１）と、前記封筒に封入された封入物（１２、１３、１６−４）とを備え、前記隠蔽層は、前記封筒に形成され、前記マーキング層は、前記封筒の内面、又は、前記封入物に形成されていること、を特徴とする秘匿情報送付媒体（１０−１〜１０−４）である。
【０００９】
請求項４の発明は、請求項１又は請求項２に記載の秘匿情報送付媒体において、封筒（１１−５、１１−６）と、前記封筒に封入された封入物（１４−５、１６−６）とを備え、前記隠蔽層は、前記封入物に形成され、前記マーキング層は、前記隠蔽層が形成されている封入物とは別の封入物に形成されていること、を特徴とする秘匿情報送付媒体（１０−５、１０−６）である。
【００１０】
請求項５の発明は、請求項３又は請求項４に記載の秘匿情報送付媒体において、前記秘匿情報は、前記封筒に封入されて送付される個別封入物（１２）に対応する情報であって、前記秘匿情報表示部は、前記個別封入物が前記封筒に封入された後に形成されたこと、を特徴とする秘匿情報送付媒体（１０−１〜１０−６）である。
【００１１】
請求項６の発明は、請求項５に記載の秘匿情報送付媒体において、前記封筒に封入されたカード（１２）を備え、前記個別情報は、前記カードに対応する認証情報を含むこと、を特徴とする秘匿情報送付媒体（１０−１〜１０−６）である。
【００１２】
請求項７の発明は、請求項１から請求項６までのいずれか１項に記載の秘匿情報送付媒体において、前記マーキング層及び前記隠蔽層は、剥離可能なように接着されていること、を特徴とする秘匿情報送付媒体（１０−４、１０−６、１０−７）である。
【００１３】
請求項８の発明は、請求項１から請求項７までのいずれか１項に記載の秘匿情報送付媒体を発行する送付媒体発行システムであって、前記秘匿情報送付媒体（１０）の隠蔽層（Ｌ２）を介してマーキング層（Ｌ１）にエネルギーを供給し、前記マーキング層に前記秘匿情報表示部を形成する秘匿情報書き込み手段（２５）を備えること、を特徴とする送付媒体発行システム（２０）である。
【００１４】
請求項９の発明は、請求項８に記載の送付媒体発行システムにおいて、前記秘匿情報書き込み手段は、前記秘匿情報送付媒体の隠蔽層を介してマーキング層にレーザ光を照射し、前記秘匿情報表示部を前記マーキング層に形成すること、を特徴とする送付媒体発行システム（２０）である。
【００１５】
請求項１０の発明は、請求項９に記載の送付媒体発行システムにおいて、前記秘匿情報送付媒体から前記秘匿情報及び／又は識別情報を読み出す読み出し手段（２４）を備え、前記秘匿情報書き込み手段は、前記読み出し手段によって読み出された秘匿情報及び／又は識別情報に基づいて、前記秘匿情報表示部を形成すること、を特徴とする送付媒体発行システム（２０）である。
【００１６】
請求項１１の発明は、請求項１０に記載の送付媒体発行システムにおいて、前記読み出し手段は、前記秘匿情報送付媒体との非接触式の通信によって読み出しを行うこと、を特徴とする送付媒体発行システム（２０）である。
【００１７】
請求項１２の発明は、請求項１から請求項７までのいずれか１項に記載の秘匿情報送付媒体（１０）を発行する送付媒体発行方法であって、前記秘匿情報送付媒体の隠蔽層（Ｌ２）を介してマーキング層（Ｌ１）にエネルギーを供給し、前記マーキング層に前記秘匿情報表示部を形成する秘匿情報書き込みステップ（Ｓ１３０）を備えること、を特徴とする送付媒体発行方法である。
【００１８】
請求項１３の発明は、請求項１２に記載の送付媒体発行方法において、前記秘匿情報書き込みステップは、前記秘匿情報送付媒体の隠蔽層を介してマーキング層にレーザ光を照射し、前記秘匿情報表示部を前記マーキング層に形成すること、を特徴とする送付媒体発行方法である。
【００１９】
請求項１４の発明は、請求項１３に記載の送付媒体発行方法において、前記秘匿情報送付媒体から前記秘匿情報及び／又は識別情報を読み出す読み出しステップ（Ｓ１２０）を備え、前記秘匿情報書き込みステップは、前記読み出しステップにおいて読み出した秘匿情報及び／又は識別情報に基づいて、前記秘匿情報表示部を形成すること、を特徴とする送付媒体発行方法である。
【００２０】
請求項１５の発明は、請求項１４に記載の送付媒体発行方法において、前記読み出しステップは、前記秘匿情報送付媒体との非接触式の通信によって読み出しを行うこと、を特徴とする送付媒体発行方法である。
【００２１】
請求項１６の発明は、レーザ光の透過性を有し、かつ、外部から内側を目視できないように隠蔽する領域（Ｌ２）をその一部又は全体に備える封筒（１１）である。
【００２２】
請求項１７の発明は、請求項１６に記載の封筒において、前記領域の内面に形成され、外部からのレーザ光の照射によってマーキングが可能なマーキング層（Ｌ１−３）を備えること、を特徴とする封筒（１１）である。
【００２３】
【発明の実施の形態】
以下、図面等を参照しながら、本発明の実施の形態について、更に詳しく説明する。
（実施形態）
図１、図２及び図３は、本発明による秘匿情報送付媒体及び封筒の実施形態を説明する図であって、図１は、発行前の秘匿情報送付媒体を示す概略図、図２及び図３は、発行前及び発行後の秘匿情報送付媒体の三つの形態を示す概略断面図であり、発行前及び発行後の秘匿情報送付媒体にそれぞれ異なる符号（１０’、１０）を付して説明する。なお、本発明による秘匿情報送付媒体は、発行後の秘匿情報送付媒体１０である。
図１に示すように、発行前の秘匿情報送付媒体１０’は、封筒１１と、封筒１１に封入された封入物である、ＩＣカード１２、送付台紙１３及び同封物１４などとを備え、ＩＣカード１２が装着された台紙１３と、同封物１４とが封筒に１１に封入され、封緘されている。
【００２４】
ＩＣカード１２は、非接触式でリーダライタ（以下、「リーダライタ」を「Ｒ／Ｗ」という。）と通信を行うＩＳＯ１４４４３に準拠する、Ｔｙｐｅ−Ａ（Ｍｉｆａｒｅ，ＴＮ２）、Ｔｙｐｅ−Ｂ（ｅＬＷＩＳＥ）、Ｔｙｐｅ−Ｃ（ＦｅｌｉＣａ）などの一般的な非接触式のＩＣカードであって、ＲＡＭ、ＲＯＭ、ＥＥＰＲＯＭなどの記憶部（図示しない）を備えている。記憶部は、ユーザパスワードなどの秘匿情報、ＩＣカード１２の識別情報などを記憶している。
台紙１３は、ＩＣカード１２を所定の位置で保持する紙材であって、通知する内容がユーザに共通する共通情報と、ユーザの名前、住所などのユーザ毎に異なる個別情報とがその表面に印刷されている。
同封物１４は、ＩＣカード１２及び台紙１３とともに封筒１１に同封されてユーザに送付される共通情報などが印刷されたチラシなどである。
【００２５】
また、図２に示すように、秘匿情報送付媒体１０’（１０’−１，１０’−２，１０’−３）は、レーザ発色層Ｌ１（Ｌ１−１，Ｌ１−２，Ｌ１−３）及び隠蔽層Ｌ２とを備えている。
レーザ発色層Ｌ１は、ＹＡＧレーザなどの近赤外光（レーザ光）が照射された部分が発色することによって、文字、図形、記号などのマーキングが可能なマー
キング層であって、例えば、レーザ発色タイプのインキが印刷された層である。
レーザ発色層Ｌ１は、送付台紙１３の隠蔽層Ｌ２側の面［図２（ａ）］、ＩＣカード１２の隠蔽層Ｌ２側の面［図２（ｂ）］、又は、封筒１１の内面［図２（ｃ）］などの隠蔽層Ｌ２の下層（内側）に形成される。なお、封筒１１の内面に設けられているレーザ発色層Ｌ１−３は、外部からのレーザ光の照射によってその内側のマーキングが可能なマーキング層である。
【００２６】
隠蔽層Ｌ２は、レーザ発色層Ｌ１よりも上層（外側）に配置され、レーザ光が透過する透過性を有し、かつ、可視光線を遮断し、下層を目視できないように隠蔽する層である。隠蔽層Ｌ２は、例えば、ポリエチレン、ポリプロピレン、ポリエチレンテレフタレート、ポリ塩化ビニリデンなどのレーザ光の透過性を有する材料で構成される層の表面に、プロセス３原色インキ（ＹＭＣ）を混合して得られる墨インキの印刷を施して形成される。この墨インキによる印刷層は、可視光をほとんど透過せず、カーボンブラック顔料を使用する通常の墨インキと同様の黒色に見えるが、赤外線領域では墨インキとは異なり透過性があるので、ＹＡＧレーザなどのレーザ光を透過させる。
隠蔽層Ｌ２は、封筒１１の一部（レーザ発色層Ｌ１と重複する領域）に形成されている。なお、封筒１１の他の部分（Ｌ３）は、可視光線及びレーザ光を遮断し、内部を目視できないように隠蔽する材料（一般的な封筒に使用される紙材など）で形成されている。
【００２７】
図３に示すように、秘匿情報送付媒体１０（１０−１，１０−２，１０−３）は、秘匿情報送付媒体１０’のレーザ発色層Ｌ１に秘匿情報表示部１５（１５−１，１５−２，１５−３）が形成され、発行されたものである。秘匿情報送付媒体１０に含まれるＩＣカード１２は、その記憶部から秘匿情報が削除されている。秘匿情報送付媒体１０は、送付されることによって、ＩＣカード１２を特定のユーザに提供するとともに、秘匿情報の通知を行う。なお、図３（ｃ）に示すように、封筒１１の内面にレーザ発色層Ｌ１が形成されている場合には、秘匿情報表示部１５−３は、封筒１１の内部に向けて秘匿情報を表示する。
【００２８】
図４は、本発明による送付媒体発行システムの実施形態を示すブロック図である。
図４に示すように、送付媒体発行システム２０は、制御部２１と、制御部２１に接続された搬送部２２、給紙部２３、第１Ｒ／Ｗ部２４、レーザマーキング部２５、第２Ｒ／Ｗ部２６、分別排紙部２７及び記憶部２８などを備え、秘匿情報送付媒体１０’について処理を行い、秘匿情報送付媒体１０を発行するシステムである。
給紙部２３、第１Ｒ／Ｗ部２４、レーザマーキング部２５、第２Ｒ／Ｗ部２６及び分別排紙部２７は、秘匿情報送付媒体１０’の出入りを検出するセンサを備えている。
【００２９】
制御部２１は、秘匿情報送付媒体１０’の搬送序列、及び、各部２３，２４，２５，２６，２７が備えるセンサによって個々のカードの位置を把握し、搬送部２２による秘匿情報送付媒体１０’の搬送を制御するなど、この送付媒体発行システム２０を統括制御する中央処理装置である。
搬送部２２は、給紙部２３から第１Ｒ／Ｗ部２４、レーザマーキング部２５、第２Ｒ／Ｗ部２６、分別排紙部２７の各部へ順に秘匿情報送付媒体１０’を搬送する。
【００３０】
給紙部２３は、発行の対象である秘匿情報送付媒体１０’が積層され、制御部２１からの処理開始信号と共に順次秘匿情報送付媒体１０’にシリアルに搬送順列を付番し（割り当て）、１通ずつ搬送部２２へ供給し、搬送順列を制御部２１へ通知する。
第１Ｒ／Ｗ部２４は、非接触式でＩＣカード１２と通信を行うＲ／Ｗなどを備え、制御部２１から処理開始信号、搬送順列などを受信し、給紙部２３から搬送された秘匿情報送付媒体１０’のＩＣカード１２から秘匿情報を読み出す秘匿情報読み出し処理を行う。第１Ｒ／Ｗ部２４は、搬送序列にこの秘匿情報と、正常に読み出せた旨（ＯＫ）の処理区分とを関連づけて制御部２１へ送信する。秘匿情報を読み出せない場合には、第１Ｒ／Ｗ部２４は、搬送序列にその旨（ＮＧ）の処理区分を関連づけて制御部２１へ送信する。なお、処理区分は、処理が正常に行われたか否かの処理結果を示す情報である。制御部２１は、受信した処理区分（ＯＫ／ＮＧ）を搬送序列とともに記憶部２８に記憶する。
【００３１】
レーザマーキング部２５は、ＹＡＧレーザの照射装置などを備え、第１Ｒ／Ｗ部２４から搬送された各秘匿情報送付媒体１０’についてマーキング処理を行う。具体的には、レーザマーキング部２５は、制御部２１から第１Ｒ／Ｗ部２４における処理区分、秘匿情報及び搬送序列を受信し、処理区分がＯＫの秘匿情報送付媒体１０’の所定の印字位置に秘匿情報に応じたパターン状にＹＡＧレーザを照射し、秘匿情報のマーキングを行う。照射されたレーザ光は、封筒１１の隠蔽層Ｌ２を介してレーザ発色層Ｌ１に照射され、秘匿情報を表示する秘匿情報表示部１５が形成される。レーザマーキング部２５は、搬送序列に処理区分を関連づけて制御部２１へ送信する。
【００３２】
第２Ｒ／Ｗ部２６は、非接触式でＩＣカード１２と通信を行うＲ／Ｗなどを備え、レーザマーキング部２５から搬送された各秘匿情報送付媒体１０’について、制御部２１から第１Ｒ／Ｗ部２４及びレーザマーキング部２５における処理区分及び搬送序列を受信し、処理区分が全てＯＫの秘匿情報送付媒体１０’に含まれるＩＣカード１２から秘匿情報を削除する秘匿情報削除処理を行う。第２Ｒ／Ｗ部２６は、搬送序列に処理区分を関連づけて制御部２１へ送信する。
分別排紙部２７は、第２Ｒ／Ｗ部２６から搬送された各秘匿情報送付媒体１０’について、制御部２１から第１Ｒ／Ｗ部２４、レーザマーキング部２５及び第２Ｒ／Ｗ部２６においての処理区分及び搬送順列を受信し、処理区分が全てＯＫの秘匿情報送付媒体１０を良品スタッカに、残りの（処理区分がＮＧの）秘匿情報送付媒体１０を不良品スタッカに搬送序列順に積層する分別排紙処理を行う。
【００３３】
図５は、本発明による送付媒体発行システムの動作及び本発明による送付媒体発行方法を示すフローチャートである。
ステップ１００（以下、「ステップ」を「Ｓ」という。）において、送付媒体発行システム２０の給紙部２３に、秘匿情報送付媒体１０’がセットされている。発行システム２０は、システム管理者によって図示しないキーボードなどから処理開始信号を入力し、処理を開始する（Ｓ１１０）。
搬送部２２は、この秘匿情報送付媒体１０’を給紙部２３から第１Ｒ／Ｗ部２４、レーザマーキング部２５、第２Ｒ／Ｗ部２６及び分別排紙部２７へ所定の順に搬送し、これらの各部は、秘匿情報読み出し処理（Ｓ１２０）、マーキング処理（Ｓ１３０）、秘匿情報削除処理（Ｓ１４０）及び分別排紙処理（Ｓ１５０）を行い、秘匿情報送付媒体１０を発行し、送付媒体発行システム２０は、処理を終了する（Ｓ１６０）。
【００３４】
このように、本実施形態よれば、ＩＣカード１２が封筒１１に封入・封緘された後に、このＩＣカード１２に対応する初期パスワードなどの秘匿情報を表示する秘匿情報表示部１５が形成されたことによって、ＩＣカード１２と、初期パスワードとのマッチングを容易に行うことができ、発行工程を簡略化することが可能となった。
また、隠蔽層Ｌ１によって隠蔽された状態で秘匿情報表示部１５を形成するため、特定のユーザ以外の者が初期パスワードを目視することができず、初期パスワードの漏洩を防止することが可能となった。
更に、秘匿情報送付媒体１０は、ＩＣカード１２の送付と初期パスワードの通知とを同時に行うため、発行者側及びユーザ側、双方の利便性を向上するとともに、輸送コストを低減することが可能となった。
【００３５】
更にまた、封筒１１に隠蔽層Ｌ２を形成し、封筒１１の内面にレーザ発色層Ｌ１−３を形成する場合には、ＩＣカード１２、台紙１３などの封入物に特殊な構成を備えることなく、上記効果を容易に得ることが可能となった。
また、封筒１１に隠蔽層Ｌ２（隠蔽領域）を形成し、いずれかの封入物にレーザ発色層Ｌ１−１，Ｌ１−２を形成するなど、様々な態様において、上記効果を得ることが可能となった。
更に、送付媒体発行システム２０は、秘匿情報を秘匿情報送付媒体１０’から読み出し、これをレーザ発色層Ｌ１に書き込んで秘匿情報表示部１５を形成するため、秘匿情報送付媒体１０（１０’）と、秘匿情報送付媒体１０で通知すべき初期パスワードなどの秘匿情報を確実にマッチングすることが可能となった。
更にまた、送付媒体発行システム２０は、非接触式の通信によって秘匿情報の読み出しを行うため、秘匿情報送付媒体１０の発行における処理の効率化を図ることが可能となった。
【００３６】
（変形形態）
以上説明した実施形態に限定されることなく、種々の変形や変更が可能であって、それらも本発明の均等の範囲内である。例えば、秘匿情報送付媒体１０（１０’）が備える個別封入物であるＩＣカード１２は、非接触式のＩＣカードに限られず、接触式／非接触式兼用のＩＣカードであってもよい。また、ＩＣカード１２は、電磁誘導方式によりカード端末と通信を行うＩＣカードに限られず、静電結合方式により通信を行うＩＣカード［ＢｉＳｔａｔｉｘ（登録商標）など］であってもよく、その非接触式での通信方法は、限定されない。送付媒体発行システム２０の第１Ｒ／Ｗ部２４及び第２Ｒ／Ｗ部２６が備えるＲ／Ｗについても同様である。
更に、ＩＣカード１２は、カード形状であるが、その形状などは限定されず、ＳＩＭカード、ＩＣタグ［ＩＳＯ１５６９３準拠（Ｉ−ｃｏｄｅ）など］などの少なくともＣＰＵと、外部と非接触式で通信を行う通信手段と、情報を記憶する記憶手段とを備え、使用者が直接的にコマンドを入力するマン・マシンインターフェイスであるキーボード、マウスなどの入力装置を備えていない機密性の高い携帯型の情報処理装置であればよい。
【００３７】
秘匿情報送付媒体１０は、ＩＣカード１２の送付及び秘匿情報（初期パスワード）の通知を行うが、例えば、接触式のＩＣカード、バーコードが印刷されているカードなどの他の種類のカードの送付、及び、これらのカードに対応する認証情報の通知を行ってもよい。
【００３８】
図６は、本発明による秘匿情報送付媒体の変形形態を示す概略断面図である。
図６（ａ）に示すように、秘匿情報送付媒体１０−４は、封筒１１の内面に貼付され、マーキング層Ｌ１−４が形成されているラベル１６−４を備えていてもよい。ユーザは、ラベル１６−４を剥離することによって秘匿情報を目視することができる。
また、図６（ｂ）に示すように、秘匿情報送付媒体１０−５は、封筒１１及びレーザ発色層Ｌ１−５の間に封入された同封物１４−５に隠蔽層Ｌ２−５が形成されていてもよい。この場合には、封筒１１−５は、秘匿情報表示部１５−５を形成するためのレーザ光が照射される領域についてレーザ透過性を有する必要があるが、内部を隠蔽する必要はない。
同様に、図６（ｃ）に示すように、秘匿情報送付媒体１０−６は、封筒１１−６（封筒１１−５と同様の性質）及びレーザ発色層Ｌ１−６の間に封入され、秘匿情報表示部１５−６を覆うように貼付されているラベル１６−６に隠蔽層Ｌ２−６が形成されていてもよい。
【００３９】
また、図６（ｄ）に示すように、秘匿情報の通知のみを目的とし、カードなどの封入物の送付を必要としない場合には、秘匿情報送付媒体１０−７は、レーザ発色層Ｌ１−７（秘匿情報表示部１５−７）が形成されている葉書１７と、葉書１７に秘匿情報表示部１５−７を覆うように貼付されている、剥離可能なラベル１６−７とを備えていてもよい。システム管理者などの第三者に秘匿情報を目視されることなく、秘匿情報を特定の者（宛名人）に通知することが可能である。つまり、レーザが照射される側の外部と、レーザ発色層Ｌ１との間にある層は、すべてがレーザ光の透過性を有し、そのうち少なくとも一の層、つまり、隠蔽層Ｌ２が、外部からレーザ発色層Ｌ１を目視できないように可視光線を遮断していればよい。
【００４０】
なお、ラベル１６−４，１６−５，１６−７を剥離することによって秘匿情報を目視できる場合には、ラベル１６−４，１６−５，１６−７を貼付対象に疑似接着によって貼付することが望ましい。疑似接着とは、貼付後に剥離された場合に再貼付を不可能とし、貼付後に剥離されたことを容易に認識することができる。
また、ラベル１６−５，１６−７の代わりに、レーザ光の透過性を有するインキで印刷を行うことによって剥離材を台紙１３，葉書１７の表面に形成してもよい。インキを剥離することによって、ユーザは秘匿情報を認識することができるとともに、貼付後に剥離されたことを容易に認識することが可能である。
【００４１】
秘匿情報送付媒体１０の封筒１１は、隠蔽層Ｌ２がその一部、つまり、レーザ発色層Ｌ１と重複する位置に形成されているが、全体が隠蔽層Ｌ２と同一の材料で形成されていてもよく、レーザ発色層Ｌ１の秘匿情報表示部１５が覆われ、外部から隠蔽される領域に形成されていれば、その範囲は限定されない。
【００４２】
秘匿情報送付媒体１０は、近赤外光（レーザ光）が照射された部分が発色することによってマーキングが可能なレーザ発色層Ｌ１をマーキング層として備えているが、マーキング層の構成及び材料は、限定されず、レーザマーキング部２５などの外部から隠蔽層Ｌ２を介して供給されたエネルギーによってマーキングが可能であればよい。従って、例えば、他の種類のレーザ光が照射される場合であっても、このレーザ光の照射によってマーキングが可能な構成及び材料からマーキング層が形成されていればよい。また、マーキング層は、下地層と、その上層にレーザ光の吸収性を有し、レーザ光の照射によって、発熱、破壊されて除かれ得る着色インキ層との複数層で形成されていてもよい。この場合には、外部からのレーザ光のパターン状の照射によって着色インキ層の一部を排除して下地層を露出し、下地層及び着色インキ層の色の対比を形成することによって、マーキングが行われる。
【００４３】
更に、マーキング層が熱によって発色する感熱発色材で形成されていてもよい。この場合には、外部のサーマルヘッドからパターン状の熱を供給することによってマーキングが可能となる。同様に、マーキング層がリライト印字材（サーマルリライト、モノカラーリライト、リプラスメッセ、レーザリライトなど）から形成されていてもよい。
【００４４】
同様に、送付媒体発行システム２０は、ＹＡＧを使用したガスレーザなどの近赤外光を用いてマーキングを行うレーザマーキング部２５を秘匿情報書き込み手段として備えているが、秘匿情報書き込み手段は、半導体レーザ、ＣＯ２（二酸化炭素）レーザなどの他のレーザ光を照射してマーキングを行ってもよく、感熱方式でマーキングを行ってもよい。秘匿情報送付媒体１０’のマーキング層へマーキングを行うことができればその方式は限定されない。
【００４５】
また、秘匿情報送付媒体１０（１０’）は、複数箇所にレーザ発色層Ｌ１を備え、レーザマーキング部２５は、これら複数箇所についてマーキングを行ってもよい。更に、レーザマーキング部２５は、初期パスワード以外の他の秘匿情報についてマーキングを行ってもよく、秘匿情報以外の他の個別情報、また、共有情報などの他の情報についてマーキングを行ってもよい。
【００４６】
秘匿情報送付媒体１０（１０’）の秘匿情報表示部１５は、ＩＣカード１２、台紙１３などの封入物が封筒１１へ封入され、封緘された後に形成されるが、封入物が封入された後に形成され、その後封筒１１が封緘されてもよい。隠蔽層Ｌ２が所定の位置（秘匿情報表示部１５が形成される位置の上層）に配置され、隠蔽層Ｌ２及び秘匿情報表示部１５が容易に分離しない状態で秘匿情報表示部１５を形成すれば、特定のユーザ以外の者への秘匿情報の漏洩を防止することが可能である。
また、個別封入物であるＩＣカード１２と、秘匿情報表示部１５がまとめられ、容易に分離しない状態で秘匿情報表示部１５を形成すれば、個別封入物と、この個別封入物に対応する秘匿情報とのマッチングにかかる負担を軽減することが可能である。
【００４７】
送付媒体発行システム２０は、秘匿情報送付媒体１０’から秘匿情報を読み出すが、秘匿情報送付媒体１０’から識別情報を読み出し、備えているデータベースから対応する秘匿情報を読み出してもよい。また、搬送順列、識別情報の関連づけから搬送順列に基づいて対応する秘匿情報を読み出してもよい。
【００４８】
第１Ｒ／Ｗ部２４は、ＩＣカード１２から読み出した秘匿情報を、発行システム内部に設けたＳＡＭ（ＩＣカード）によって暗号化し制御部２１に送信してもよい。また、レーザマーキング部２５は、暗号化された秘匿情報を制御部２１から受信し、復号してマーキング処理を行ってもよい。
【００４９】
レーザマーキング部２５は、処理区分がＮＧである秘匿情報送付媒体１０’に対しては、ＮＧである旨について外部から視認できる位置にマーキングを行ってもよい。システム管理者などが容易に識別することが可能である。
【００５０】
第２Ｒ／Ｗ部２６は、秘匿情報をＩＣカード１２の記憶部から削除するが、その代わりに、暗号化、スクランブル化して上書きなどを行うなど、秘匿情報の読み出しに制限をかける処理を行ってもよい。
【００５１】
送付媒体発行システム２０は、第２Ｒ／Ｗ部２６と分別排紙部２７との間にレーザ発色層Ｌ１の印字品質を検査する検査部を備えていてもよい。検査方法としては、近赤外光に感度を持つＣＣＤカメラを用いた文字認識装置を用いてマーキングされた秘匿情報を読取り、第１Ｒ／Ｗ部２４で読み出した秘匿情報と比較することにより良否を判定する方法などがある。
【００５２】
【発明の効果】
以上詳しく説明したように、本発明によれば、以下の効果を得ることが可能となった。
（秘匿情報送付媒体又は封筒について）
（１）外部から隠蔽層を介して供給されたエネルギー（照射されたレーザ光など）によってマーキング層に形成され、秘匿情報を表示する秘匿情報表示部を備え、隠蔽層が秘匿情報表示部を隠蔽することによって、特定の者以外の者に秘匿情報が漏洩することを防止する。
（２）封筒に隠蔽層を形成し、封筒の内面にマーキング層を形成することによって、封入物に特殊な構成を備えることなく、前記（１）の効果を容易に得る。
（３）また、封筒又は封入物に隠蔽層を形成し、封入物にマーキング層を形成するなど、様々な態様において、前記（１）の効果を得る。
（４）カードなどの個別封入物が封筒に封入された後に、この個別封入物に対応する認証情報などの秘匿情報を表示する秘匿情報表示部が形成されたことによって、個別封入物及び秘匿情報のマッチングにおける負担を低減する。
（５）葉書及びラベルなどにマーキング層及び隠蔽層を形成し、剥離可能に接着することによって、簡単な構成によって容易に前記（１）の効果を得る。また、剥離しなければ秘匿情報を目視することができない態様とすることによって、秘匿情報の漏洩を防止する。特に、疑似接着により接着、印刷でマーキング層又は隠蔽層が形成されたインキを接着するなど、剥離材の剥離を認識できるようにすることによって、秘匿情報が漏洩した場合に認識可能とする。
【００５３】
（送付媒体発行システム又は送付媒体発行方法について）
（１）秘匿情報及び／又は識別情報を秘匿情報送付媒体から読み出し、これに基づいて秘匿情報表示部を形成することによって、秘匿情報送付媒体と、秘匿情報送付媒体で通知すべき秘匿情報を確実にマッチングする。
（２）非接触式の通信によって秘匿情報及び／又は識別情報の読み出しを行うことによって、秘匿情報送付媒体の発行における処理の効率化を図る。
【図面の簡単な説明】
【図１】本発明による秘匿情報送付媒体及び封筒の実施形態を説明する概略図である。
【図２】発行前の秘匿情報送付媒体を示す概略断面図である。
【図３】本発明による秘匿情報送付媒体及び封筒の実施形態を示す概略断面図である。
【図４】本発明による送付媒体発行システムの実施形態を示すブロック図である。
【図５】本発明による送付媒体発行システムの動作及び本発明による送付媒体発行方法を示すフローチャートである。
【図６】本発明による秘匿情報送付媒体の変形形態を示す概略断面図である。
【符号の説明】
１０  秘匿情報送付媒体
１１  封筒
１２  ＩＣカード
１３  台紙
１４  同封物
１５  秘匿情報表示部
１６  ラベル
１７  葉書
２０  送付媒体発行システム
２１  制御部
２２  搬送部
２３  給紙部
２４  第１Ｒ／Ｗ部
２５  レーザマーキング部
２６  第２Ｒ／Ｗ部
２７  分別排紙部
２８  記憶部
Ｌ１  レーザ発色層
Ｌ２  隠蔽層
【図１】
2005014388.tif 000003
【図２】
2005014388.tif 000004
【図３】
2005014388.tif 000005
【図４】
2005014388.tif 000006
【図５】
2005014388.tif 000007
【図６】
2005014388.tif 000008